【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
２以上のスイッチング部を有する電力変換主回路と、
前記各スイッチング部をそれぞれ駆動するゲート駆動部と、
前記ゲート駆動部の間に接続されるインピーダンス素子と、
前記インピーダンス素子の電圧または電流を検出する検出部と
を備えた電力変換装置。
【請求項２】
前記スイッチング部は、正極側としての第１のスイッチング部と前記第１のスイッチング部に直列に接続される負極側としての第２のスイッチング部有し、前記ゲート駆動部は、前記第１のスイッチング部を駆動する第１のゲート駆動部と前記第２のスイッチング部を駆動する第２のゲート駆動部とを有し、前記インピーダンス素子は、前記第１のゲート駆動部と前記第２のゲート駆動部との間に接続されることを特徴とする請求項１に記載の電力変換装置。
【請求項３】
前記スイッチング部は、３相のうち一の相としての第１のスイッチング部と他の相としての第２のスイッチング部有し、前記ゲート駆動部は、前記第１のスイッチング部を駆動する第１のゲート駆動部と前記第２のスイッチング部を駆動する第２のゲート駆動部とを有し、前記インピーダンス素子は、前記第１のゲート駆動部と前記第２のゲート駆動部との間に接続されることを特徴とする請求項１に記載電力変換装置。
【請求項４】
前記検出部からの信号に応じて前記ゲート駆動部を制御する制御部をさらに備えたことを特徴とする請求項２に記載の電力変換装置。
【請求項５】
前記第１のスイッチング部および前記第２のスイッチング部は、それぞれ１のスイッチング素子で構成され、前記第１のゲート駆動部および前記第２のゲート駆動部は、それぞれ１のゲート駆動回路が前記各スイッチング素子に対応して設けられ、２レベルの電圧を出力することを特徴とする請求項４に記載の電力変換装置。
【請求項６】
前記制御部は、前記検出部からの信号に基づいて出力電圧信号を補正する補正回路と、前記出力電圧信号のうち正極側の前記スイッチング素子の駆動信号にデッドタイムを付加して正極側の前記スイッチング素子を駆動する前記ゲート駆動回路に出力する第１の付加
回路と、前記出力電圧信号のうち負極側の前記スイッチング素子の反転した駆動信号にデッドタイムを付加して負極側の前記スイッチング素子を駆動する前記ゲート駆動回路に出力する第２の付加回路とを備えることを特徴とする請求項５に記載の電力変換装置。
【請求項７】
前記第１のスイッチング部および前記第２のスイッチング部は、それぞれ２のスイッチング素子を直列接続して構成され、前記第１のゲート駆動部および前記第２のゲート駆動部は、それぞれ２のゲート駆動回路が前記各スイッチング素子に対応して設けられ、３レベルの電圧を出力することを特徴とする請求項４に記載の電力変換装置。
【請求項８】
前記インピーダンス素子は、正極側の２の前記スイッチング素子のうち下位電位側の前記スイッチング素子を駆動する前記ゲート駆動回路と、負極側の２の前記スイッチング素子のうち下位電位側の前記スイッチング素子を駆動する前記ゲート駆動回路とに接続されていることを特徴とする請求項７に記載の電力変換装置。
【請求項９】
前記制御部は、正極側の前記スイッチング素子および負極側の前記スイッチング素子の各上位電位側の前記スイッチング素子を駆動する前記各ゲート駆動回路への出力電圧信号を、前記検出部からの信号に基づいて補正する第１の補正回路と、正極側の前記スイッチング素子および負極側の前記スイッチング素子の各下位電位側の前記スイッチング素子を駆動する前記各ゲート駆動回路への前記出力電圧信号を、前記検出部からの信号に基づいて補正する第２の補正回路と、前記第１の補正回路からの前記出力電圧信号のうち正極側の上位電位側の前記スイッチング素子の駆動信号にデッドタイムを付加して、正極側の上位電位側の前記スイッチング素子を駆動する前記ゲート駆動回路に出力する第１の付加回路と、前記第１の補正回路からの前記出力電圧信号のうち負極側の上位電位側の前記スイッチング素子の反転した駆動信号にデッドタイムを付加して、負極側の上位電位側の前記スイッチング素子を駆動する前記ゲート駆動回路に出力する第２の付加回路と、前記第２の補正回路からの前記出力電圧信号のうち正極側の下位電位側の前記スイッチング素子の駆動信号にデッドタイムを付加して、正極側の下位電位側の前記スイッチング素子を駆動する前記ゲート駆動回路に出力する第３の付加回路と、前記第２の補正回路からの前記出力電圧信号のうち負極側の下位電位側の前記スイッチング素子の反転した駆動信号にデッドタイムを付加して、負極側の下位電位側の前記スイッチング素子を駆動する前記ゲート駆動回路に出力する第４の付加回路とを備えることを特徴とする請求項８に記載の電力変換装置。
【請求項１０】
前記制御部は、絶縁回路を介して前記各ゲート駆動回路および前記検出部と接続されていることを特徴とする請求項６または請求項９に記載の電力変換装置。
【請求項１１】
前記インピーダンス素子は、１の抵抗、または２以上の抵抗を直列に接続したものであることを特徴とする請求項５から請求項１０のいずれか１項に記載の電力変換装置。
【請求項１２】
前記インピーダンス素子は、１のコンデンサ、または２以上のコンデンサを直列に接続したものであることを特徴とする請求項５から請求項１０のいずれか１項に記載の電力変換装置。
【請求項１３】
前記インピーダンス素子は、１のダイオード、または２以上のダイオードを直列に接続したものであることを特徴とする請求項５から請求項１０のいずれか１項に記載の電力変換装置。
【請求項１４】
前記各ゲート駆動回路と前記インピーダンス素子は、同一の基板上に配設されていることを特徴とする請求項５から請求項１３のいずれか１項に記載の電力変換装置。
【請求項１５】
正極側の前記スイッチング素子と対応する前記ゲート駆動回路とを接続する第１の信号線と、負極側の前記スイッチング素子と対応する前記ゲート駆動回路とを接続する第２の信号線とを備え、前記第１の信号線と前記第２の信号線は、隣接して配設されることを特徴とする請求項５から請求項１４のいずれか１項に記載の電力変換装置。
【請求項１６】
前記インピーダンス素子と正極側の前記スイッチング素子を駆動する前記ゲート駆動回路の接続部が、前記第１の信号線と正極側の前記スイッチング素子を駆動する前記ゲート駆動回路の接続部の近傍に設けられ、前記インピーダンス素子と負極側の前記スイッチング素子を駆動する前記ゲート駆動回路の接続部が、前記第２の信号線と負極側の前記スイッチング素子を駆動する前記ゲート駆動回路の接続部の近傍に設けられていることを特徴とする請求項５から請求項１５のいずれか１項に記載の電力変換装置。
【請求項１７】
前記各スイッチング素子は、ＩＧＢＴ、ＭＯＳＦＥＴ、またはバイポーラトランジスタからなることを特徴とする請求項５から請求項１６のいずれか１項に記載の電力変換装置。
【請求項１８】
正極側の前記スイッチング素子および負極側の前記スイッチング素子は、２ｉｎ１モジュールで形成されていることを特徴とする請求項５から請求項１７のいずれか１項に記載の電力変換装置。
【請求項１９】
前記各スイッチング部に、ワイドバンドギャップ半導体を用いることを特徴とする請求項１から請求項１８のいずれか１項に記載の電力変換装置。
【請求項２０】
前記ワイドバンドギャップ半導体は、炭化ケイ素、窒化ガリウム系材料または、ダイアモンドを用いた半導体であることを特徴とする請求項１９に記載の電力変換装置。
【請求項２１】
第１のスイッチング部を駆動する第１のゲート駆動部と、第２のスイッチング部を駆動する第２のゲート駆動部との間に接続されるインピーダンス素子を用い、前記インピーダンス素子の電圧または電流を検出することにより、第１のスイッチング素子と第２のスイッチング素子の間の電圧を検出することを特徴とする電力変換装置の電圧検出方法。